Podtech/llm-jp-corpus-v4-ja_patent huggingface dataset:
(57)【要約】本発明は、ヘッドアップディスプレイ用投影スクリーンを動かすアセンブリに関し、投影スクリーン（７）を固定する台（６）を含む。台（６）は、車両部分に固定され得るベース部材（１）を有する機械的連結ギアユニットに接続される。
2014500170.tif 000002
【特許請求の範囲】
【請求項１】
ヘッドアップディスプレイ用投影スクリーン（７）を動かすアセンブリであって、
前記投影スクリーン（７）を固定する台（６）を有し、
前記台（６）は、車両部分に固定され得るベース部材（１）を有する機械的カップラ機構に接続されるアセンブリ。
【請求項２】
前記機械的機構は四軸機構として設計され、
前記ベース部材（１）には、第１接続部材（２）及び第２接続部材（３）を介する接合部によってカップラ（４）が接続され、
前記台（６）は、前記四軸機構の前記カップラ（４）に固定される、請求項１に記載のアセンブリ。
【請求項３】
前記機構の接合部は実質的に一体の接合部として設計される、請求項１又は２に記載のアセンブリ。
【請求項４】
２つの機構が平行に配列される、請求項１から３のいずれか一項に記載のアセンブリ。
【請求項５】
前記２つの四軸アセンブリは接続要素を介して連結され、
前記台（６）は前記接続要素に固定される、請求項４に記載のアセンブリ。
【請求項６】
前記２つの四軸アセンブリは同じ設計である、請求項５に記載のアセンブリ。
【請求項７】
前記２つの四軸アセンブリは接続ロッド（５）に連結される、請求項６に記載のアセンブリ。
【請求項８】
前記台（６）を固定する設備が配列されたコンポーネントが、前記接続部に配列される、請求項６又は７に記載のアセンブリ。
【発明の詳細な説明】
【技術分野】
【０００１】
本発明は、ヘッドアップディスプレイ用投影スクリーンを動かすアセンブリに関する。このような投影スクリーンはまた、コンバイナとも称される。
【背景技術】
【０００２】
これらは、運転者の視野にある車両フロントガラスに取り付けられる。車両情報が、ＴＦＴディスプレイによって投影スクリーン上に投影される。これらの投影スクリーンは、使用しない場合、車両運転者の視野から取り除かれるのが望ましく、これは一般に投影スクリーンを折り畳むことによって行われる。さらに、投影スクリーンは、高温、日光、及び引っかき傷により引き起こされる高レベルの機械的及び熱的応力にさらされる。したがって、これらのコンポーネントは通常、車両の耐用年数の間に何回か交換する必要がある。取り付け時及び使用中双方において投影スクリーンの位置を調整する必要があり得る。双方の動きに対し回転接合部を設ける必要がある。その軸まわりに投影スクリーンが枢動可能である。
【０００３】
従来技術により周知のバージョンは関節アセンブリを使用する。これの回転軸は、投影スクリーンの下縁又は下方に位置する。しかしながら、最高の光学的品質は、当該回転軸が投影スクリーンの中心又は中心近くに位置する場合に達成される。
【先行技術文献】
【特許文献】
【０００４】
【特許文献１】米国特許出願公開第２００９／１６６５０１（Ａ１）号明細書
【特許文献２】国際公開第９８／２０３８０（Ａ１）号パンフレット
【特許文献３】独国特許出願公開第１０２００９０４０７０２（Ａ１）号明細書
【特許文献４】欧州特許出願公開第１９２１３４０（Ａ１）号明細書
【発明の概要】
【０００５】
本発明の目的は、投影スクリーンが、当該投影スクリーンの中心近傍に配置される軸まわりに枢動することができる、最初に述べたタイプのアセンブリを与えることにある。
【０００６】
この目的は、本発明によれば、機械的カップラ機構に台が接続されるアセンブリによって達成される。当該機械的カップラ機構は、車両部分に固定され得るベース部材を有する。
【０００７】
有利なバージョンにおいて、当該機械的機構は四軸機構として設計される。カップラが、第１及び第２接続部材を介してベース部材に関節状に接続される。台は四軸機構のカップラに固定される。
【０００８】
四軸機構に基づくカップラ機構により、多くの異なる態様の動きを単純な手段によって実現することができる。
【０００９】
当該機構の接合部は、機械的な滑り軸受又は転がり軸受台として設計することができる。特に好都合なバージョンは、好ましくはばね接合部の形態の、実質的に一体の接合部を使用する。実質的に一体の接合部は、摩擦なし及びメンテナンスなしの点で優れ、長い耐用年数が確保される。
【００１０】
さらに有利な実施例において、平行に配列される２つの機構が使用される。この目的のため、便宜上、２つの四軸アセンブリが連結され、台が接続要素に固定される。当該２つの四軸アセンブリは、当該接続要素に接続される。
【００１１】
当該２つの機構の同じ動きシーケンスを達成するには、接続要素を介して連結される２つの同じ四軸アセンブリを使用するのが好都合である。
【００１２】
好ましいバージョンにおいて、当該接続要素は、いずれの場合も当該２つの四軸アセンブリの部材又は接合部を接続する接続ロッドからなる。
【００１３】
添付の概略図によって本発明が詳細に説明される。
【図面の簡単な説明】
【００１４】
【図１】四軸アセンブリの概略図を示す。
【図２】２つの四軸アセンブリを有する可能な実施例の斜視図を示す。
【発明を実施するための形態】
【００１５】
図１は、ベース部材１が枠に固定された四軸機構アセンブリを概略的に示す。ベース部材１の両端は、回転接合部によって第１接続部材２及び第２接続部材３に接続される。そして接続部材２及び３は、カップラ４に関節状に接続される。投影スクリーン７が取り付けられる台６が、カップラ４に固定される。
【００１６】
図２に示される実施例において、２つの同じ四軸アセンブリが使用される。これらは、接続要素によって互いに連結される。台６を固定する設備が、当該接続要素上に配置される。接続要素は、４つの接続ロッド５からなる。４つの接続ロッド５は、いずれの場合も、当該２つの四軸アセンブリの同じ部材又は類似の接合部を接続する。
【００１７】
部材１から４の大きさ及び長さの関係に基づいて、カップラ４と接続される台６に対して、ひいては投影スクリーン７に対して意図される複数の動き曲線を実現することができる。これらの動き曲線はまた、特に、投影スクリーンの所望される傾動も達成する。
【符号の説明】
【００１８】
１  ベース部材
２  第１接続部材
３  第２接続部材
４  カップラ
５  接続ロッド
６  台
７  投影スクリーン
【図１】
2014500170.tif 000003
【図２】
2014500170.tif 000004
【国際調査報告】
2014500170.tif 000005
2014500170.tif 000006
2014500170.tif 000007
2014500170.tif 000008
(57)【要約】  本発明は、機能訓練の練習支援用装置に関するものであって、該装置は、少なくとも２つの球欠形の切欠き（３）を備えたベースプレート（２）と、端部に球形部材（６）を備えた２つの支持棒（４）とを有しており、前記球形部材（６）は、球形の切欠き（３）に対応している。
2014506174.tif 000002
【特許請求の範囲】
【請求項１】
機能訓練の練習支援用装置であって、少なくとも２つの球欠形の切欠き（３）を備えたベースプレート（２）と、端部に球形部材（６）を備えた２つの支持棒（４）とを有しており、前記球形部材（６）は、球形の切欠き（３）に対応していることを特徴とする、機能訓練の練習支援用装置。
【請求項２】
前記ベースプレート（２）は円弧状、好ましくは半円弧状に形成されている、請求項１記載の装置。
【請求項３】
前記ベースプレート（２）の対称軸線の両側に、同数の球形の切欠き（３）が対向して位置するように配置されている、請求項２記載の装置。
【請求項４】
前記支持棒（４）は、その両端部に球形部材（６，７）を備えている、請求項１から３までのいずれか１項記載の装置。
【請求項５】
前記支持棒（４）は、その長さを変更可能に形成されている、請求項１から４までのいずれか１項記載の装置。
【請求項６】
前記支持棒（４）は、テレスコープロッドとして形成されている、請求項５記載の装置。
【請求項７】
前記テレスコープロッドは、その長さを無段階に調節可能であり且つ調節されたあらゆる長さに位置固定することができるように形成されている、請求項６記載の装置。
【請求項８】
前記テレスコープロッドは、所定の段階でその長さを調節できるようになっている、請求項６記載の装置。
【発明の詳細な説明】
【技術分野】
【０００１】
本発明は、請求項１記載の機能訓練の練習支援用装置に関する。
【０００２】
いわゆる「機能訓練」には、解剖学の特定の観点と、機能的な運動の法則とに基づいて開発された練習が含まれる。関節と筋肉との関係及び結合組織の耐荷重性を一貫して考慮することが、機能訓練の練習の有効性の重要な特徴である。機能訓練の練習の中心的な構成要素は、伸張練習、いわゆる「ストレッチング」である。ストレッチングでは、反射メカニズムに基づく逆緊縮を最小限に抑えるために、筋肉を所定の伸張状態に慎重に近づける。筋肉若しくは筋肉群を最適に伸張させることができるようにするためには、所定の出発位置と最終位置、並びに所定の姿勢と体位とが必要とされる。
【０００３】
この点を本発明は起点とする。本発明の課題は、効果的な機能訓練を可能にする、機能訓練の練習支援用装置を提供することである。この課題は、本発明に基づき、請求項１記載の特徴を有する装置によって解決される。この場合、支持棒が、端部側に配置された球形部材で以て、ベースプレートの球欠形の切欠きに挿入され、これにより、ボールジョイントのような装置が形成されることになる。使用者が端部側を把持する支持棒を介して、機能訓練の練習の枠内で、使用者の所定の案内運動が可能になっている。
【０００４】
本発明の改良において、ベースプレートは円弧状に、好ましくは半円弧状に形成されている。この場合、使用者は円弧の中心点に入ることができるので、支持棒の枢着点に対して最適な、対称的な姿勢が可能になっている。
【０００５】
本発明の別の改良では、ベースプレートの対称軸線の両側に、同数の球形の切欠きが対向して位置するように配置されている。これにより、異なる相互間隔で支持棒を位置決めすることが可能になっているので、使用者の案内運動半径は可変である。
【０００６】
本発明の更に別の構成では、支持棒は、その両端部に球形部材を備えている。これにより、把持側の端部にも球状の把持部が形成されているので、支持棒で練習を行う際に、使用者の手の有利な滑動が可能になっている。
【０００７】
本発明の更に別の改良では、支持棒は、その長さを変更可能に形成されている。これにより、装置の使用範囲が拡張されている。この場合、支持棒は、有利にはテレスコープロッドとして形成されていて、このテレスコープロッドは、好ましくはその長さを無段階に調節可能であり且つ調節されたあらゆる長さで位置固定可能に形成されている。択一的に、支持棒は係止部材をも有することができ、この係止部材を介して支持棒は所定の段階で、その長さを調節できるようになっている。
【０００８】
本発明の更に別の改良及び構成は、その他の従属請求項に記載されている。
【図面の簡単な説明】
【０００９】
【図１】機能訓練の練習支援用装置の機能ボードの概略図である。
【図２】図１に示した装置の支持棒の概略図である。
【００１０】
以下に、本発明の実施形態を図面につき詳しく説明する。
【００１１】
実施形態として選択した機能訓練の練習支援用装置は、主として機能ボード１と、この機能ボード１に対応している２つの支持棒４とから成る。
【００１２】
機能ボード１は、本実施形態では円弧状に形成されたベースプレート２によって形成されていて、このベースプレート２は無垢の木材から製造されている。ベースプレート２の対称軸線の両側において、ベースプレート２には半球形の切欠き３が、向かい合って対を成すように形成されていて、これらの切欠き３は、ベースプレート２の中心に延びる仮想の円弧軸線に沿って配置されている。ベースプレート２の、切欠き３とは反対側の下面において、ベースプレート２には更に、複数のゴム脚部（図示せず）が配置されている。これらのゴム脚部（図示せず）は、機能ボード１の滑り止め並びに支持棒４を介して機能ボード１にもたらされる力の弾性的な吸収に役立つ。
【００１３】
支持棒４は、本実施形態ではアルミニウム管から形成された伸縮式のテレスコープロッドとして形成されている。この場合、テレスコープロッド５は、無段階で長さ調節可能な回転・緊締ロッドとして形成されている。支持棒４は端部側に、案内球６を備えている。案内球６は、実質的に機能ボード１の半球形の切欠き３の内径に相当する外径を有している。更に、支持棒４の、案内球６とは反対の側の端部には、把持球７が配置されている。案内球６並びに把持球７は、本実施形態では木材から製造されている。
【００１４】
機能訓練の練習を実施する際に、使用者が支持棒４の把持球７を把持し、向かい合って配置された２つの切欠き３に案内球６をセットして位置決めすることにより、ボールジョイントのような装置が形成されることになる。この場合、切欠き３の選択に応じて、支持棒４は互いにより近くに若しくはより遠くに配置されていると同時に、使用者からより近くに若しくはより遠くに配置されており、これにより、使用者の姿勢に影響を及ぼすようになっている。
【図１】
2014506174.tif 000003
【図２】
2014506174.tif 000004
【国際調査報告】
2014506174.tif 000005
2014506174.tif 000006
2014506174.tif 000007
2014506174.tif 000008
2014506174.tif 000009
2014506174.tif 000010
(57)【要約】リン酸塩処理後にシリカ質シーリング層が提供され、リン酸塩処理後およびシリカ質シーリング層の施用後に初めて転造されている、リン酸塩処理を行ったねじ。【選択図】なし【特許請求の範囲】
【請求項１】
リン酸塩処理を行った後にねじにシリカ質シーリングを提供することを特徴とする、リン酸塩処理を行ったねじ。
【請求項２】
リン酸塩処理およびシリカ質シーリングの施用の後に初めてねじを転造することを特徴とする、請求項１に記載のリン酸塩処理を行ったねじ。
【発明の詳細な説明】
【技術分野】
【０００１】
本発明は、リン酸塩処理を行ったねじに関する。
【背景技術】
【０００２】
現在、自動車産業では、特定の耐腐食性ならびにＯＥＭおよびドイツ自動車産業基準に従って規定された摩擦係数が維持されるように、内部エンジンのねじはすべてリン酸塩処理が行われた後オイルで処理されている。これは、必要なオイル処理によりねじが非常に油っぽくなるためオイル残留物が輸送容器内にたまり、これを返却前にきれいにしなければならないという問題をもたらす。これに加え、過剰なオイルにより自動組み立てシステムが汚れる。したがって、これらのシステムは頻繁にきれいにしなければならず、結果的に、該システムは、いたずらに使用されないままにならざるを得なくなる。また、オイルの施用により、ねじに接触するあらゆる汚れや破片がねじに付着する。これは、大きな異物の場合、不正確なねじ締めをもたらす可能性がある。
【発明の概要】
【発明が解決しようとする課題】
【０００３】
したがって、この従来技術に基づき、本発明の目的は、リン酸塩処理を行ったねじであって、オイル処理を必要とせず、それにも関わらず、必要な耐腐食性および特に既定の摩擦係数を有するものを、作り出すことである。  
【０００４】
この問題を解決するための従来の試みは、ねじに固体皮膜潤滑剤などを提供することを包含していた。しかしながら、固体皮膜潤滑剤は、過度に厚いか、過度に大きな摩耗をもたらすか、または耐圧性が十分ではないという、不利な点を有する。
【０００５】
異なるオイルブレンドも試されたが、これらの結果も十分ではなかった。
【課題を解決するための手段】
【０００６】
本発明に従って、上記目的は、リン酸塩処理を行ったねじに、リン酸塩処理後にシリカ質シーリングを提供することにより、初めて解決される。
この場合、リン酸塩処理およびシリカ質シーリングの施用の後に初めてねじを転造することが、とりわけ好ましい。これによりリン酸塩フレークはねじ山のフランクに押し込められ、そこで摩擦係数に影響を及ぼす。これはシリケートでも行うことができる。
【発明を実施するための形態】
【０００７】
本発明は、リン酸塩処理を行ったねじに、シリカ質シーリング、例えば、ＨｅｒｄｅｃｋｅのＤｏｅｒｋｅｎ  ＭＫＳ−Ｓｙｓｔｅｍｅ  ＧｍｂＨ  ＆  Ｃｏ．ＫＧ社からの製品Ｄｅｌｔａ−Ｐｒｏｔｅｋｔ（登録商標）ＶＨ３０１  ＧＺまたはフランス、ＣｒｅｉｌのＤａｃｒａｌ  Ｓ．Ａ．社からの製品Ｐｌｕｓ（登録商標）ＶＬ  ＰＬＳ０２１８を提供することを、初めて提唱するものである。これまで、そのようなシリカ質シーリングは亜鉛フレークの表面上にのみ用いられていた；これまで、それらは、腐食防止を増進し、規定された摩擦係数を達成するために、リン酸塩処理を行ったねじのリン酸塩層上に用いられることはなかった。
【０００８】
この場合に好ましいシリカ質シーリングは、５５〜６５％の二酸化ケイ素、３５〜４１％の酸化リチウム、および０．５〜２％の２−ブトキシエタノール、溶媒としてのエチルカルビノール、および水酸化リチウムの水溶液か、または、１４〜１９％のアクリル樹脂および１０〜１１％のポリテトラフルオロエチレン（ＰＴＦＥ）を伴う７３％のケイ酸のナトリウム塩、すなわちケイ酸ナトリウムの水溶液かのいずれかから構成される。
【０００９】
本発明の利点は、前記発明により、リン酸塩処理を行ったねじ上に、極めて非常に薄い層を有する耐圧性で耐摩耗性の乾燥潤滑皮膜を得ることが、初めて可能になった点である。
【００１０】
シリカ質シーリングの硬度に起因して、本発明に従って、ねじを好ましくはリン酸塩処理およびシリカ質シーリングの施用の後に初めて転造することにより、とりわけ有利な摩擦特性を達成することが可能である。
【００１１】
後で転造することにより、詳細にはリン酸塩フレークがねじ山のフランクに押し込められ、この場所で摩擦特性に有益な影響を及ぼす。同じことがシリケートでも起こる。
【国際調査報告】
2014506628.tif 000002
2014506628.tif 000003
2014506628.tif 000004
2014506628.tif 000005